(57)【要約】【課題】ディジタルアンプに適したスピーカを使用しつつディジタルアンプの特性を活かして効率よい音響再生を行う。【解決手段】増幅すべき信号より高い周波数の搬送波信号との比較により、前記信号をパルス信号に変換し、該パルス信号をスイッチングすることにより増幅するＤ級アンプと、前記Ｄ級アンプで増幅されたパルス信号を受けて音響出力するディジタル用スピーカと、を有するディジタル音響システムであって、前記ディジタル用スピーカのボイスコイルは、α＞１，（β2／α）＜１とした場合に、アナログ信号用のスピーカのボイスコイルの１／βのコイル線長を有し、アナログ信号用のスピーカのボイスコイルの１／αの直流抵抗値であり、前記Ｄ級アンプは、アナログ信号用のスピーカを駆動する場合と比較してβ／αの電圧で出力段のスイッチングを行う。【選択図】図１
2011061406.tif 000002
【特許請求の範囲】
【請求項１】
増幅すべき信号より高い周波数の搬送波信号との比較により、前記信号をパルス信号に変換し、該パルス信号をスイッチングすることにより増幅するＤ級アンプと、
前記Ｄ級アンプで増幅されたパルス信号を受けて音響出力するディジタル用スピーカと、
を有するディジタル音響システムであって、
前記ディジタル用スピーカのボイスコイルは、
α＞１，（β2／α）＜１とした場合に、
アナログ信号用のスピーカのボイスコイルの１／βのコイル線長を有し、
アナログ信号用のスピーカのボイスコイルの１／αの直流抵抗値であり、
前記Ｄ級アンプは、アナログ信号用のスピーカを駆動する場合と比較してβ／αの電圧で出力段のスイッチングを行う、
ことを特徴とするディジタル音響システム。
【請求項２】
増幅すべき信号より高い周波数の搬送波信号との比較により、前記信号をパルス信号に変換し、該パルス信号をスイッチングすることにより増幅するＤ級アンプと、
前記Ｄ級アンプで増幅されたパルス信号を受けて音響出力するディジタル用スピーカと、
を有するディジタル音響システムであって、
前記ディジタル用スピーカのボイスコイルは、
アナログ信号用のスピーカのボイスコイルの１／βのコイル線長を有し、
アナログ信号用のスピーカのボイスコイルの１／αの直流抵抗値であり、
前記Ｄ級アンプは、アナログ信号用のスピーカを駆動する場合と比較してβ／αの電圧で出力段のスイッチングを行う際に、
該ディジタル用スピーカのボイスコイルの直流抵抗値をＲ’、前記Ｄ級アンプの出力段の直流オン抵抗値をｒとした場合に、
α＞１，（（αＲ’＋ｒ）／（Ｒ’＋ｒ））＞β2の条件を満たす、
ことを特徴とするディジタル音響システム。
【請求項３】
前記ディジタル用スピーカのボイスコイルは、箔状の線材により構成されている、
ことを特徴とする請求項１−２に記載のディジタル音響システム。
【発明の詳細な説明】
【技術分野】
【０００１】
本発明はディジタル音響システムに関し、特に、効率に配慮されたディジタル音響システムに関する。
【背景技術】
【０００２】
現在は、スピーカとして、磁場中に電線を配置し電流を流すことで発生するローレンツ力を利用した動電型（ダイナミック型）が最も広く普及している。
一般的な動電型では、断面が円もしくは矩形の電線を複数巻回した状態のボイスコイルに駆動電流を供給し、該ボイスコイルに発生するローレンツ力を用いて振動板を動かしている。
【０００３】
ここで、ボイスコイルに発生する力（駆動力）Ｆを数式で表すと、磁気回路に使用される磁束密度をＢ、ボイスコイルの線長をＬ、ボイスコイルに流れる電流をｉとした場合、
Ｆ＝ＢＬｉ，
と表現できる。
【０００４】
また、以上の数式からわかるように、ボイスコイルの直流抵抗ＤＣＲにより電流ｉを制限しており、線長Ｌにて必要な駆動力Ｆを得るようにしている。なお、磁束密度Ｂや線長Ｌの値が大きければ、少ない電流ｉでも必要な駆動力Ｆが得られることになる。
【０００５】
しかし、線長Ｌを大きくすると、直流抵抗ＤＣＲが増えることになり、電流ｉが減ることになり、結果として駆動力Ｆが増えることはない。
一方、断面積の大きい線材を使用して直流抵抗ＤＣＲを下げると電流ｉが増えて駆動力Ｆが増加することになるものの、あまりにも直流抵抗ＤＣＲが低すぎると電流ｉが流れすぎて、結果としてアンプに悪影響を与えることになる。
【０００６】
このため、直流抵抗ＤＣＲが低いスピーカにも対処できるような出力段の増幅回路を備えたアンプも存在するが、価格が上昇してしまう欠点が存在していた。
また、以下の特許文献１のように、ボイスコイルと磁石との配置を工夫し、磁石からの磁力線を有効に活用する提案もなされていた。しかし、この特許文献１のスピーカでは、構造が複雑になり、コストが上昇するという問題があった。
【０００７】
以上のような理由で、スピーカのボイスコイルの駆動力を大きく改善することは、根本的に難しい状態であった。
【先行技術文献】
【特許文献】
【０００８】
【特許文献１】特開平９−１８９９２号公報
【発明の概要】
【発明が解決しようとする課題】
【０００９】
近年、Ｄ級増幅を行うディジタルアンプが各種の機器で使用されている。この種のディジタルアンプでは、増幅対象となる音声信号より高い周波数のパルス信号でスイッチングを行う構成となっている。そのため、増幅回路としては高効率という特徴を有している。しかし、このディジタルアンプについては、従来からのアナログアンプに適したスピーカを駆動するものとして使用されており、ディジタルアンプの特性に適した状態のスピーカについては何ら配慮されていなかった。
【００１０】
本発明は、以上のような課題を解決するためになされたものであって、該ディジタルアンプに適したスピーカを使用しつつディジタルアンプの特性を活かして効率よい音響再生が可能なディジタル音響システムを提供することを目的とする。
【課題を解決するための手段】
【００１１】
以上の課題を解決する本発明は、以下に記載するようなものである。
（１）請求項１記載の発明は、増幅すべき信号より高い周波数の搬送波信号との比較により、前記信号をパルス信号に変換し、該パルス信号をスイッチングすることにより増幅するＤ級アンプと、前記Ｄ級アンプで増幅されたパルス信号を受けて音響出力するディジタル用スピーカと、を有するディジタル音響システムであって、前記ディジタル用スピーカのボイスコイルは、α＞１，（β2／α）＜１とした場合に、アナログ信号用のスピーカのボイスコイルの１／βのコイル線長を有し、アナログ信号用のスピーカのボイスコイルの１／αの直流抵抗値であり、前記Ｄ級アンプは、アナログ信号用のスピーカを駆動する場合と比較してβ／αの電圧で出力段のスイッチングを行う、ことを特徴とするディジタル音響システムである。
【００１２】
（２）請求項２記載の発明は、増幅すべき信号より高い周波数の搬送波信号との比較により、前記信号をパルス信号に変換し、該パルス信号をスイッチングすることにより増幅するＤ級アンプと、前記Ｄ級アンプで増幅されたパルス信号を受けて音響出力するディジタル用スピーカと、を有するディジタル音響システムであって、前記ディジタル用スピーカのボイスコイルは、アナログ信号用のスピーカのボイスコイルの１／βのコイル線長を有し、アナログ信号用のスピーカのボイスコイルの１／αの直流抵抗値であり、前記Ｄ級アンプは、アナログ信号用のスピーカを駆動する場合と比較してβ／αの電圧で出力段のスイッチングを行う際に、該ディジタル用スピーカのボイスコイルの直流抵抗値をＲ’、前記Ｄ級アンプの出力段の直流オン抵抗値をｒとした場合に、α＞１，（（αＲ’＋ｒ）／（Ｒ’＋ｒ））＞β2の条件を満たす、ことを特徴とするディジタル音響システムである。
【００１３】
（３）請求項３記載の発明は、前記ディジタル用スピーカのボイスコイルは、箔状の線材により構成されている、ことを特徴とする請求項１−２に記載のディジタル音響システムである。
【発明の効果】
【００１４】
本発明によれば、以下のような効果が得られる。
（１）第一の発明では、増幅すべき入力信号より高い周波数の搬送波信号との比較により、入力信号をパルス信号に変換し、該パルス信号をスイッチングすることによりＤ級アンプでＤ級増幅し、このＤ級増幅されたパルス信号をディジタル用スピーカにより音響再生する際に、ディジタル用スピーカのボイスコイルは、α＞１，（β2／α）＜１とした場合に、アナログ信号用のスピーカのボイスコイルの１／βのコイル線長を有し、アナログ信号用のスピーカのボイスコイルの１／αの直流抵抗値であり、Ｄ級アンプは、アナログ信号用のスピーカを駆動する場合と比較してβ／αの電圧で出力段のスイッチングを行う。
【００１５】
この場合、Ｄ級アンプの出力段の電圧が従来のβ／αであり、ディジタル用スピーカのボイスコイルが従来の１／βの線長であって抵抗値が１／αであるため、ボイスコイルを流れる電流ｉは従来のβ倍であるため、ディジタル用スピーカの駆動力Ｆ（Ｆ＝ＢＬｉ）は従来と同じでありながら、消費電力は従来比（β2／α）と低減される。なお、この場合に、ボイスコイルを箔状の線材で構成することで、ボイスコイルの抵抗値と線長とを適切な特性に設定しやすくなる。
【００１６】
したがって、ディジタルアンプ（Ｄ級アンプ）での再生に適した特性を有するスピーカを使用しつつ、ディジタルアンプの特性を活かし、低消費電力で効率よい音響再生が可能になる。
【００１７】
なお、ボイスコイルの線長を従来と同じ、すなわち、β＝１とすると、Ｄ級アンプの出力段の電圧が従来の１／αであり、ディジタル用スピーカのボイスコイルが従来と同じ線長でありながら抵抗値が１／αであるため、ボイスコイルを流れる電流ｉは従来と変わらないため、ディジタル用スピーカの駆動力Ｆ（Ｆ＝ＢＬｉ）は従来と同じでありながら、消費電力は１／αと低減される。なお、この場合に、ボイスコイルを箔状の線材で構成することで、ボイスコイルの抵抗値と線長とを適切な特性に設定しやすくなる。したがって、ディジタルアンプ（Ｄ級アンプ）での再生に適した特性を有するスピーカを使用しつつ、ディジタルアンプの特性を活かし、低消費電力で効率よい音響再生が可能になる。
【００１８】
（２）第二の発明では、増幅すべき入力信号より高い周波数の搬送波信号との比較により、入力信号をパルス信号に変換し、該パルス信号をスイッチングすることによりＤ級アンプでＤ級増幅し、このＤ級増幅されたパルス信号をディジタル用スピーカにより音響再生する際に、該ディジタル用スピーカのボイスコイルの直流抵抗値をＲ’、Ｄ級アンプの出力段の直流オン抵抗値をｒ、α＞１，（（αＲ’＋ｒ）／（Ｒ’＋ｒ））＞β2とした場合に、ディジタル用スピーカのボイスコイルは、アナログ信号用のスピーカのボイスコイルの１／βのコイル線長を有し、アナログ信号用のスピーカのボイスコイルの１／αの直流抵抗値であり、Ｄ級アンプは、アナログ信号用のスピーカを駆動する場合と比較してβ／αの電圧で出力段のスイッチングを行う。
【００１９】
この場合、Ｄ級アンプの出力段の電圧が従来のβ／αであり、ディジタル用スピーカのボイスコイルが従来の１／βの線長であって抵抗値が１／αであるため、ボイスコイルを流れる電流ｉは従来のβ倍であるため、ディジタル用スピーカの駆動力Ｆ（Ｆ＝ＢＬｉ）は従来と同じでありながら、消費電力は従来比（β2）・（（Ｒ’＋ｒ）／（αＲ’＋ｒ））と低減される。
【００２０】
なお、この場合に、ボイスコイルを箔状の線材で構成することで、ボイスコイルの抵抗値と線長とを適切な特性に設定しやすくなる。
したがって、ディジタルアンプ（Ｄ級アンプ）での再生に適した特性を有するスピーカを使用しつつ、ディジタルアンプの特性を活かし、低消費電力で効率よい音響再生が可能になる。
【図面の簡単な説明】
【００２１】
【図１】本発明の実施形態のディジタル音響システムの構成を示す構成図である。
【図２】本発明の実施形態のディジタル音響システムの構成を示す構成図である。
【図３】本発明の実施形態のディジタル音響システムで使用されるスピーカの構成を示す構成図である。
【図４】本発明の実施形態のディジタル音響システムの動作を示す説明図である。
【図５】本発明の実施形態のディジタル音響システムの動作を示す説明図である。
【発明を実施するための形態】
【００２２】
以下、図面を参照して本発明を実施するための最良の形態（以下、実施形態）を詳細に説明する。
〔実施形態の構成〕
〔実施形態のディジタル音響システム全体の構成〕
図１は本発明の実施形態のディジタル音響システムの構成を示すブロック図である。
【００２３】
この図１において、入力信号源１１０は、音響再生すべきオーディオ信号を出力するものであり、各種オーディオ機器、各種映像機器の音声出力部、各種受信機の音声出力部などが該当する。なお、この入力信号源１１０は、実施形態のディジタル音響システムに含まれていても良いし、着脱や挿抜や接続が可能な各種の外付けの機器であっても良い。
【００２４】
搬送波発振部１２０は、再生すべきオーディオ信号の上限周波数の２倍以上の周波数であって、再生すべきオーディオ信号との比較に使用される三角波などの搬送波信号を生成し、比較部１３０の一方の端子に該搬送波信号を供給する。
【００２５】
比較部１３０は、入力信号源１１０からのオーディオ信号と、搬送波発振部１２０からの搬送波信号とが入力され、これら２つの信号の振幅を比較して、搬送波信号と同じ周波数であってオーディオ信号によりパルス幅変調されたパルス信号を生成する。なお、ここでは、パルス幅変調（ＰＷＭ）方式を例にするが、ΔΣ変調方式であってもよい。
【００２６】
スイッチング部１４０は、比較部１３０で生成されたパルス幅変調されたパルス信号に基づいて、後述する電源電圧Ｅ’にて、ＦＥＴなどのスイッチング素子でスイッチング（Ｄ級増幅）を行って、スピーカ駆動用のパルス信号を生成する。
【００２７】
ここで、以上の搬送波発振部１２０，比較部１３０，スイッチング部１４０が、ディジタル音響システムにおけるＤ級アンプを構成している。
フィルタ部１８は、パルス信号に含まれるオーディオ信号の周波数成分を通過させて、オーディオ信号以外の周波数成分を減衰させるローパスフィルタあるいはバンドパスフィルタなどにより構成されたフィルタ部である。
【００２８】
なお、このフィルタ部１８は、独立して設ける以外に、スイッチング部１４０やスピーカ１６０に内蔵させること、省略すること、などの変形も可能である。
スピーカ１６０は、以上のパルス信号を受けて音響出力するディジタル用スピーカであり、後述するように、特定の条件を満たすよう構成されたボイスコイルを備えている。
【００２９】
図２は実施形態の変形例であり、図１と異なる部分として、制御部１０１、操作表示部１０５、電圧変更部１４０ａを備えたスイッチング部１４０、を備えて構成されている。ここで、制御部１０１は、スピーカ１６０の特性について、スピーカ１６０を所定条件で駆動して特性を読み取る、あるいは、スピーカ１６０に備えられたメモリやＩＣチップなどから特性を読み取る、といったことが可能に構成されており、スピーカ１６０の特性に応じて、電圧変更部１４０ａに対してスイッチング電圧の変更を指示するよう構成されている。また、操作表示部１０５から入力された設定値に基づいて、電圧変更部１４０ａに対してスイッチング電圧の変更を指示するよう構成されている。これにより、スイッチング部１４０では、可変の電圧でスイッチングすることが可能である。
【００３０】
〔実施形態のディジタル音響システムで使用されるスピーカの構成〕
図３は本発明の実施形態のディジタル音響システムで使用される、ディジタル用スピーカとしてのスピーカ１６０の構成を断面で示す断面図である。なお、ここに示した構造は具体例として示した一例であり、各部の配置を異なる構成とすることも可能である。
【００３１】
図３（ａ）において、振動板１６１７や各部を支える筐体としてのフレーム１６１１に対して、振動板１６１７の背面方向（音声出力方向と反対方向、ここでは図面下方向）には、リング状のトッププレート１６１２ｂ、リング状（筒状）で軸方向に着磁された永久磁石１６１３、底部となるヨーク１６１２ａが取り付けられている。なお、ヨーク１６１２ａの中央部には、トッププレート１６１２ｂの方向に向かって、円柱状のセンターポール１６１２ａｃを有している。
【００３２】
そして、ヨーク１６１２ａの中央部に設けられたセンターポールの先端部付近の外周面は、トッププレート１６１２ｂの内周面と向かい合って、磁路における磁気ギャップが形成されている。
【００３３】
また、センターポールの外周面とトッププレート１６１２ｂの内周面との間のリング状の空間には、振動板１６１７に一端が取り付けられたコイルボビン１６１４が配置されており、このコイルボビン１６１４にはボイスコイル１６１５が巻回されている。
【００３４】
そして、振動板１６１７とコイルボビン１６１４とが接している部分近傍には、外周部がフレーム１６１１に取り付けられたダンパー１６１８が取り付けられており、振動板１６１７とコイルボビン１６１４とがセンターポールの軸方向に振動可能な状態になるように支持している。
【００３５】
また、この実施形態では、図３（ａ），（ｂ）に示す如く、コイルボビン１６１４の周囲に、少なくとも一方の面に絶縁材が付された箔状の導電性の線材（金属箔）が巻回されることによって、ボイスコイル１６１５が形成されている。ここでは、ボイスコイル１６１５の軸方向の長さに相当する幅の金属箔を用意して、該金属箔を所定回数巻回することで、ボイスコイル１６１５を形成している。
【００３６】
〔実施形態のディジタル音響システムにおける各部の特性〕
なお、以上のディジタル音響システムで使用されるスピーカ１６０のボイスコイル１６１５は、定数αと定数βとについて、従来からのアナログ信号用の一般的なスピーカ（従来型スピーカ）のボイスコイルの１／αの直流抵抗値を有し、従来型スピーカのボイスコイルの１／βのコイル線長を有する、ものとして、構成されている。
【００３７】
また、図１または図２の構成のディジタル音響システムにおいて、以上のスイッチング部１４０では、定数αと定数βとについて、従来からのアナログ信号用の一般的なスピーカ（従来型スピーカ）を駆動する場合と比較して、β／αの電圧で出力段のスイッチング素子のスイッチングを行うよう構成されている。
【００３８】
そして、該スピーカ１６０のボイスコイル１６１５の直流抵抗値をＲ’、スイッチング部１４０の出力段の直流オン抵抗値をｒとした場合に、α＞１，（（αＲ’＋ｒ）／（Ｒ’＋ｒ））＞β2の条件を満たす、ように、本実施形態のディジタル音響システムは構成されている。
【００３９】
〔実施形態のディジタル音響システムの動作説明〕
以下、数式、具体的数値を用いて、本実施形態のディジタル音響システムの動作について説明を行う。
【００４０】
ここでは、スピーカのボイスコイルに発生する力（駆動力）をＦ、磁気回路に使用される磁束密度をＢ、ボイスコイルの線長をＬ、ボイスコイルに流れる電流をｉとした場合、実施形態のディジタル音響システムにおいてボイスコイル１６１５の駆動力Ｆ（Ｆ＝ＢＬｉ）を従来型スピーカと同等に保ちつつ、低消費電力で効率よい音響再生を可能にする動作について説明する。
【００４１】
ここで、
スイッチング部１４０の出力段のスイッチング素子の直流オン抵抗値をｒ、
従来型スピーカのボイスコイルの直流抵抗値をＲ、
スピーカ１６０のボイスコイル１６１５の直流抵抗値をＲ’、
従来型スピーカのボイスコイルの線長をＬ、
スピーカ１６０のボイスコイル１６１５の線長をＬ’、
従来型スピーカのボイスコイルを流れる電流をｉ、
スピーカ１６０のボイスコイル１６１５を流れる電流をｉ’、
従来型スピーカを駆動するスイッチング部１４０の出力段の電圧をＥ、
スピーカ１６０を駆動するスイッチング部１４０の出力段の電圧をＥ’、
とする
そして、以上の条件において、定数α、定数βを用いた場合、
スピーカ１６０のボイスコイル１６１５の線長Ｌ’は従来型スピーカのボイスコイルの線長Ｌの１／β、
スピーカ１６０のボイスコイル１６１５の直流抵抗値Ｒ’は従来型スピーカのボイスコイルの抵抗値Ｒの１／α、
である。なお、スピーカ１６０のボイスコイル１６１５は従来型スピーカのボイスコイルより低抵抗である必要があるため、α＞１である。
【００４２】
また、スイッチング部１４０は、従来型スピーカを駆動する電圧Ｅと比較してβ／αの電圧Ｅ’で出力段のスイッチングを行う。
そして、この実施形態では、後述するように、以下の条件、
α＞１，（（αＲ’＋ｒ）／（Ｒ’＋ｒ））＞β2，
を満たすことを特徴としている。
【００４３】
まず、従来型スピーカでの消費電力は、
（Ｒ＋ｒ）ｉ2，
である。
【００４４】
一方、本実施形態のスピーカ１６０での消費電力は、
（Ｒ’＋ｒ）ｉ’2，
である。
【００４５】
したがって、本実施形態のスピーカ１６０が従来型スピーカより高効率であるためには、
（Ｒ’＋ｒ）ｉ’2＜（Ｒ＋ｒ）ｉ2，
を満たす必要がある。
【００４６】
ここで、Ｒ＝αＲ’であり、Ｅ＝（α／β）Ｅ’であるため、ｉ＝（１／β）・ｉ’である。
従って、
（Ｒ＋ｒ）ｉ2＝（αＲ’＋ｒ）・（（１／β）・ｉ’）2，
となる。
【００４７】
これにより、本実施形態のスピーカ１６０が高効率であるためには、
（Ｒ’＋ｒ）ｉ’2＜（αＲ’＋ｒ）・（ｉ’／β）2，
となる。
【００４８】
以上の式を整理すると、
β2＜（αＲ’＋ｒ）／（Ｒ’＋ｒ），
となる。
【００４９】
よって、以上のようなαを満たすようにボイスコイル１６１５の抵抗値Ｒ’を定め、かつ、以上のようなβを満たすようにボイスコイル１６１５の線長Ｌ’を定め、以上のようなαとβとに基づいたスイッチング部１４０のスイッチング電圧Ｅ’を定めることで、従来型スピーカより低消費電力、すなわち、高効率を実現できる。
【００５０】
なお、Ｌ’＝Ｌ／βと定めており、また、以上のようにｉ’＝βｉであるため、
Ｆ＝ＢＬｉ＝ＢＬ’ｉ’
となり、本実施形態のスピーカ１６０は、従来型スピーカと同等の駆動力（音響出力）を得ることができる。
【００５１】
なお、以上のように、ボイスコイル１６１５の抵抗値Ｒ’と線長Ｌ’とを定めた場合に、丸断面あるいはスクエア断面の線材を使用するよりは、ボイスコイル１６１５の軸方向の長さに相当する幅であって、抵抗値Ｒ’を実現する断面積の金属箔を用意して、該金属箔を線長Ｌ’に該当する分の所定回数巻回することが、Ｒ’とＬ’とを容易かつ忠実に守る上で容易である。
【００５２】
〔実施形態のディジタル音響システムの具体例（１）〕
なお、以上の条件に基づいて、具体的数値を当てはめた具体例（１）を、図４の一覧に示す。
【００５３】
ここで、従来例（１）として、スイッチング部１４０のオン抵抗ｒ＝０．１（Ω）、従来型スピーカとして、Ｒ＝８Ω、スイッチング電圧Ｅ＝８（Ｖ）、コイル線長Ｌ＝１（ｍ）、電流ｉ＝１（Ａ）とした場合、スイッチング部１４０（アンプ）での消費電力は０．１（Ｗ）、従来型スピーカでの消費は８（Ｗ）、合計で８．１（Ｗ）となる。
【００５４】
そして、定数α＝８、定数β＝３、とした実験例（１）では、スピーカ１６０として、Ｒ’＝１Ω、コイル線長Ｌ’＝１／３（ｍ）、スイッチング電圧Ｅ＝３（Ｖ）、電流ｉ＝３（Ａ）とした場合、スイッチング部１４０（アンプ）での消費電力は０．９（Ｗ）、スピーカ１６０での消費は９（Ｗ）、合計で９．９（Ｗ）となる。この場合、以上のβ2＜（αＲ’＋ｒ）／（Ｒ’＋ｒ）の条件を満足していないため、低消費電力を実現できていない。
【００５５】
また、定数α＝８、定数β＝２．８、とした実験例（２）では、スピーカ１６０として、Ｒ’＝１Ω、コイル線長Ｌ’＝１／２．８（ｍ）、スイッチング電圧Ｅ＝２．８（Ｖ）、電流ｉ＝２．８（Ａ）とした場合、スイッチング部１４０（アンプ）での消費電力は０．７８４（Ｗ）、スピーカ１６０での消費は７．８４（Ｗ）、合計で８．６２４（Ｗ）となる。この場合、以上のβ2＜（αＲ’＋ｒ）／（Ｒ’＋ｒ）の条件を満足していないため、低消費電力を実現できていない。
【００５６】
また、定数α＝８、定数β＝２．７、とした実験例（３）では、スピーカ１６０として、Ｒ’＝１Ω、コイル線長Ｌ’＝１／２．７（ｍ）、スイッチング電圧Ｅ＝２．７（Ｖ）、電流ｉ＝２．７（Ａ）とした場合、スイッチング部１４０（アンプ）での消費電力は０．７２９（Ｗ）、スピーカ１６０での消費は７．２９（Ｗ）、合計で８．０１９（Ｗ）となる。この場合、以上のβ2＜（αＲ’＋ｒ）／（Ｒ’＋ｒ）の条件を満足しているため、低消費電力を実現できる。
【００５７】
また、定数α＝８、定数β＝２．５、とした実験例（４）では、スピーカ１６０として、Ｒ’＝１Ω、コイル線長Ｌ’＝１／２．５（ｍ）、スイッチング電圧Ｅ＝２．５（Ｖ）、電流ｉ＝２．５（Ａ）とした場合、スイッチング部１４０（アンプ）での消費電力は０．６２５（Ｗ）、スピーカ１６０での消費は６．２５（Ｗ）、合計で６．８７５（Ｗ）となる。この場合、以上のβ2＜（αＲ’＋ｒ）／（Ｒ’＋ｒ）の条件を満足しているため、低消費電力を実現できる。
【００５８】
また、定数α＝８、定数β＝２、とした実験例（５）では、スピーカ１６０として、Ｒ’＝１Ω、コイル線長Ｌ’＝１／２（ｍ）、スイッチング電圧Ｅ＝２（Ｖ）、電流ｉ＝２（Ａ）とした場合、スイッチング部１４０（アンプ）での消費電力は０．４（Ｗ）、スピーカ１６０での消費は４（Ｗ）、合計で４．４（Ｗ）となる。この場合、以上のβ2＜（αＲ’＋ｒ）／（Ｒ’＋ｒ）の条件を満足しているため、低消費電力を実現できる。
【００５９】
以上のように、本実施形態で定めた条件（以上のようなαを満たすようにボイスコイル１６１５の抵抗値Ｒ’を定め、かつ、以上のようなβを満たすようにボイスコイル１６１５の線長Ｌ’を定め、以上のようなαとβとに基づいたスイッチング部１４０のスイッチング電圧Ｅ’を定める条件）を満足することで、従来型スピーカと同等の駆動力を得つつ、従来型スピーカより低消費電力、すなわち、高効率を実現できる。
【００６０】
なお、このような条件を満たすように、図１のディジタル音響システムの各部の定数を定めること、また、図２においては制御部１０１がスイッチング部１４０のスイッチング電圧変更を指示すること、によって、従来型スピーカと同等の駆動力を得つつ、従来型スピーカより低消費電力、すなわち、高効率を実現できる。
【００６１】
〔実施形態のディジタル音響システムの具体例（２）〕
なお、以上の条件に基づいて、具体的数値を当てはめた具体例（２）を、図５の一覧に示す。
【００６２】
ここで、従来例（２）として、スイッチング部１４０のオン抵抗ｒ＝０．０１（Ω）、従来型スピーカとして、Ｒ＝８Ω、スイッチング電圧Ｅ＝８（Ｖ）、コイル線長Ｌ＝１（ｍ）、電流ｉ＝１（Ａ）とした場合、スイッチング部１４０（アンプ）での消費電力は０．０１（Ｗ）、従来型スピーカでの消費は８（Ｗ）、合計で８．０１（Ｗ）となる。
【００６３】
そして、定数α＝８、定数β＝３、とした実験例（Ａ）では、スピーカ１６０として、Ｒ’＝１Ω、コイル線長Ｌ’＝１／３（ｍ）、スイッチング電圧Ｅ＝３（Ｖ）、電流ｉ＝３（Ａ）とした場合、スイッチング部１４０（アンプ）での消費電力は０．０９（Ｗ）、スピーカ１６０での消費は９（Ｗ）、合計で９．０９（Ｗ）となる。この場合、以上のβ2＜（αＲ’＋ｒ）／（Ｒ’＋ｒ）の条件を満足していないため、低消費電力を実現できていない。
【００６４】
また、定数α＝８、定数β＝２．８、とした実験例（Ｂ）では、スピーカ１６０として、Ｒ’＝１Ω、コイル線長Ｌ’＝１／２．８（ｍ）、スイッチング電圧Ｅ＝２．８（Ｖ）、電流ｉ＝２．８（Ａ）とした場合、スイッチング部１４０（アンプ）での消費電力は０．０７８４（Ｗ）、スピーカ１６０での消費は７．８４（Ｗ）、合計で７．９１８（Ｗ）となる。この場合、以上のβ2＜（αＲ’＋ｒ）／（Ｒ’＋ｒ）の条件を満足しているため、低消費電力を実現できる。
【００６５】
また、定数α＝８、定数β＝２．７、とした実験例（Ｃ）では、スピーカ１６０として、Ｒ’＝１Ω、コイル線長Ｌ’＝１／２．７（ｍ）、スイッチング電圧Ｅ＝２．７（Ｖ）、電流ｉ＝２．７（Ａ）とした場合、スイッチング部１４０（アンプ）での消費電力は０．０７２９（Ｗ）、スピーカ１６０での消費は７．２９（Ｗ）、合計で７．３６３（Ｗ）となる。この場合、以上のβ2＜（αＲ’＋ｒ）／（Ｒ’＋ｒ）の条件を満足しているため、低消費電力を実現できる。
【００６６】
また、定数α＝８、定数β＝２．５、とした実験例（Ｄ）では、スピーカ１６０として、Ｒ’＝１Ω、コイル線長Ｌ’＝１／２．５（ｍ）、スイッチング電圧Ｅ＝２．５（Ｖ）、電流ｉ＝２．５（Ａ）とした場合、スイッチング部１４０（アンプ）での消費電力は０．０６２５（Ｗ）、スピーカ１６０での消費は６．２５（Ｗ）、合計で６．３１３（Ｗ）となる。この場合、以上のβ2＜（αＲ’＋ｒ）／（Ｒ’＋ｒ）の条件を満足しているため、低消費電力を実現できる。
【００６７】
また、定数α＝８、定数β＝２、とした実験例（Ｅ）では、スピーカ１６０として、Ｒ’＝１Ω、コイル線長Ｌ’＝１／２（ｍ）、スイッチング電圧Ｅ＝２（Ｖ）、電流ｉ＝２（Ａ）とした場合、スイッチング部１４０（アンプ）での消費電力は０．０４（Ｗ）、スピーカ１６０での消費は４（Ｗ）、合計で４．０４（Ｗ）となる。この場合、以上のβ2＜（αＲ’＋ｒ）／（Ｒ’＋ｒ）の条件を満足しているため、低消費電力を実現できる。
【００６８】
以上のように、本実施形態で定めた条件（以上のようなαを満たすようにボイスコイル１６１５の抵抗値Ｒ’を定め、かつ、以上のようなβを満たすようにボイスコイル１６１５の線長Ｌ’を定め、以上のようなαとβとに基づいたスイッチング部１４０のスイッチング電圧Ｅ’を定める条件）を満足することで、従来型スピーカと同等の駆動力を得つつ、従来型スピーカより低消費電力、すなわち、高効率を実現できる。
【００６９】
なお、この図５に示した例では、Ｒ’＝１、ｒ＝０．０１であり、Ｒ’に比較してｒが１／１００程度であり、充分に小さい。このため、以上のβ2＜（αＲ’＋ｒ）／（Ｒ’＋ｒ）の条件におけるｒの影響を無視することができる。
【００７０】
そこで、以上のβ2＜（αＲ’＋ｒ）／（Ｒ’＋ｒ）の条件を、請求項１に示したように、（β2／α）＜１と近似してもよい。これにより、計算を簡素化することが可能になる。
【００７１】
〔実施形態における変形〕
以上の実施形態では、ディジタル音響システムにおいてボイスコイル１６１５の駆動力Ｆ（Ｆ＝ＢＬｉ）を従来型スピーカと同等に保ちつつ、低消費電力で効率よい音響再生を可能にする動作について説明したが、これに限定されるものではない。
【００７２】
たとえば、以上の条件を満たしつつ、条件を一部変更することで、従来型スピーカと同等の消費電力にして、実施形態の駆動力Ｆ（Ｆ＝ＢＬｉ）を従来型スピーカより大きくする、従来型スピーカより低消費電力にして、実施形態の駆動力Ｆ（Ｆ＝ＢＬｉ）を従来型スピーカより大きくする、とすることも可能である。このような変形も、低消費電力で効率よい音響再生の動作に含まれる。
【符号の説明】
【００７３】
１０１  制御部
１１０  入力信号源
１２０  搬送波発振部
１３０  比較部
１４０  スイッチング部
１５０  フィルタ部
１６０  スピーカ
【図１】
2011061406.tif 000003
【図２】
2011061406.tif 000004
【図３】
2011061406.tif 000005
【図４】
2011061406.tif 000006
【図５】
2011061406.tif 000007